(57)【要約】【課題】ソフトウェアキーやハードウェアキー等の操作のボタンを少なくすることとユーザの利便性を図ることを両立させることができる画像形成装置等を提供する。【解決手段】記録材に画像を形成する画像形成手段と、装置に関する情報を表示画面として表示するタッチパネルと、ユーザの入力により表示画面を予め定められた初期画面に遷移させる遷移情報を出力する初期画面遷移手段と、装置の動作を制御する制御装置９００と、を備え、制御装置９００は、初期画面遷移手段から遷移情報を取得するユーザ指示受付部９０１と、装置の状態変化を取得する状態取得部９０２と、遷移情報を取得したときに、装置の状態変化に応じタッチパネルに初期画面を表示させる動作から他の動作に変更する動作制御部９０３と、を備えることを特徴とする画像形成装置。【選択図】図３
2017055404.tif 000002
【特許請求の範囲】
【請求項１】
記録材に画像を形成する画像形成手段と、
装置に関する情報を表示画面として表示する表示手段と、
ユーザの入力により前記表示画面を予め定められた初期画面に遷移させる遷移情報を出力する初期画面遷移手段と、
装置の動作を制御する制御手段と、
を備え、
前記制御手段は、
前記初期画面遷移手段から前記遷移情報を取得する遷移情報取得部と、
装置の状態変化を取得する状態取得部と、
前記遷移情報を取得したときに、装置の状態変化に応じ前記表示手段に初期画面を表示させる動作から他の動作に変更する動作制御部と、
を備えることを特徴とする画像形成装置。
【請求項２】
前記初期画面遷移手段は、装置の状態変化に応じユーザに対し通知を行うことを特徴とする請求項１に記載の画像形成装置。
【請求項３】
前記動作制御部は、前記画像形成手段が画像を形成しているときに前記遷移情報を取得したときは、他の動作として画像の形成を中止することを特徴とする請求項１または２に記載の画像形成装置。
【請求項４】
前記動作制御部は、前記遷移情報を取得したときに、他の動作として前記表示手段にユーザの指示を受け付ける表示画面を表示させることを特徴とする請求項１または２に記載の画像形成装置。
【請求項５】
前記動作制御部は、ユーザによる前記初期画面遷移手段の操作の違いにより動作を変更することを特徴とする請求項１または２に記載の画像形成装置。
【請求項６】
前記動作制御部は、前記画像形成手段が画像を形成しているときには、前記表示手段の表示画面の変化に拘わらず前記遷移情報を取得したときの動作を維持することを特徴とする請求項１または２に記載の画像形成装置。
【請求項７】
前記動作制御部は、他の動作を行った後、前記表示手段に初期画面を表示させることを特徴とする請求項１乃至６の何れか１項に記載の画像形成装置。
【請求項８】
前記動作制御部は、ユーザの認証がなされているか否かで、他の動作を変更することを特徴とする請求項１または２に記載の画像形成装置。
【請求項９】
前記動作制御部は、前記初期画面をユーザがカスタマイズできる状態のときは、ユーザによる前記初期画面遷移手段の操作の違いによりカスタマイズの結果を維持するか否かを決定することを特徴とする請求項１または２に記載の画像形成装置。
【請求項１０】
前記動作制御部は、ユーザによる前記初期画面遷移手段の操作の違いによりメンテナンス要員用の画面に遷移することを特徴とする請求項１または２に記載の画像形成装置。
【請求項１１】
前記動作制御部は、処理の実行中においてユーザの操作を待つ状態のときに、ユーザが前記初期画面遷移手段を操作することで、当該処理を中止することを特徴とする請求項１または２に記載の画像形成装置。
【請求項１２】
前記動作制御部は、装置の再起動が必要な状態のときに、ユーザが前記初期画面遷移手段を操作することで、再起動後に初期画面に遷移することを特徴とする請求項１または２に記載の画像形成装置。
【請求項１３】
前記動作制御部は、途中で中断させたくない処理を行なっているときに、ユーザによる前記初期画面遷移手段の操作を無効にすることを特徴とする請求項１または２に記載の画像形成装置。
【請求項１４】
前記動作制御部は、初期画面がスクロールした状態のときに、ユーザが前記初期画面遷移手段を操作したときは、スクロール前の状態に戻すことを特徴とする請求項１または２に記載の画像形成装置。
【請求項１５】
前記動作制御部は、ユーザが前記初期画面遷移手段を操作することで初期画面に遷移した後にさらに当該初期画面遷移手段を操作したときは、ユーザが行った設定をリセットすることを特徴とする請求項１または２に記載の画像形成装置。
【請求項１６】
予め定められた機器に関する情報を表示画面として表示する表示手段と、
前記表示画面を予め定められた初期画面に遷移させる遷移情報を取得する遷移情報取得部と、
前記機器の状態変化を取得する状態取得部と、
前記遷移情報を取得したときに、前記機器の状態変化に応じ前記表示手段に初期画面を表示させる動作から他の動作に変更する動作制御部と、
を備えることを特徴とする表示装置。
【請求項１７】
予め定められた機器に関する情報を表示画面として表示する表示手段における当該表示画面を予め定められた初期画面に遷移させる遷移情報を取得する遷移情報取得部と、
前記機器の状態変化を取得する状態取得部と、
前記遷移情報を取得したときに、前記機器の状態変化に応じ前記表示手段に初期画面を表示させる動作から他の動作に変更する動作制御部と、
を備えることを特徴とする表示制御装置。
【請求項１８】
ユーザの入力により、画像形成装置に関する情報を表示画面として表示する表示手段における当該表示画面を予め定められた初期画面に遷移させる遷移情報を出力し、
前記遷移情報は、前記画像形成装置の状態に応じ、前記表示手段に初期画面を表示させる動作に換わり、初期画面以外の他の画面に遷移する動作または当該画像形成装置の画像の形成を中止する動作に変更するために使用されることを特徴とする入力装置。
【請求項１９】
コンピュータに、
予め定められた機器に関する情報を表示画面として表示する表示手段における当該表示画面を予め定められた初期画面に遷移させる遷移情報を取得する遷移情報取得機能と、
前記機器の状態変化を取得する状態取得機能と、
前記遷移情報を取得したときに、前記機器の状態変化に応じ前記表示手段に初期画面を表示させる動作から他の動作に変更する動作制御機能と、
を実現させるプログラム。
【発明の詳細な説明】
【技術分野】
【０００１】
本発明は、画像形成装置、表示装置、表示制御装置、入力装置、プログラムに関する。
【背景技術】
【０００２】
近年、表示装置としてタッチパネルを備え、タッチパネルに画面を表示する機器が普及している。このとき小型化等の理由からハードウェアキーを多く配置せず、主にソフトウェアキーにより機器の操作をすることがある。即ち、タッチパネルに表示されたボタン等をユーザがタッチすることで、機器の操作を行う。例えば、画像形成装置では、ユーザインタフェース（ＵＩ：User Interface）にタッチパネルを備える。そしてユーザは、このタッチパネルを操作することで画像形成装置を操作する。
【０００３】
特許文献１には、表示一体型操作パネルと、読込開始ボタンを表示する第１のＵＩ部品表示部と、読込開始ボタンをユーザが操作したことに応答して、原稿の読取処理を起動する読取起動部と、原稿読取処理が起動されたことに応答して、読込開始ボタンに代えて読込中止キーを表示する第２のＵＩ部品表示部と、読込中止キーをユーザが操作したことに応答して、読取処理の実行を停止させる読取処理停止部とを含み、読込が完了すると読込中止キーに代えて追加読込キーが表示され、読込中止キーの背景色は、読込開始ボタンの背景色と全く異なる色であり、追加読込キーの背景色は、読込開始ボタンの背景色と類似した色である表示操作装置が開示されている。
【先行技術文献】
【特許文献】
【０００４】
【特許文献１】特開２０１２−１８６０１号公報
【発明の概要】
【発明が解決しようとする課題】
【０００５】
主にソフトウェアキーにより画像形成装置等の機器の操作をする場合、例えば、動作の中止やワンタッチ送信などのボタンを表示画面上に表示したり、ハードウェアキー等のボタンを各機能にそれぞれ設けると、表示面積や設置面積を取られる。一方、ボタンの数を少なくした場合、所望の動作を行うための操作のステップ数が多くなりやすく、ユーザの利便性が低下する。
本発明では、ソフトウェアキーやハードウェアキー等の操作のボタンを少なくすることとユーザの利便性を図ることを両立させることを目的とする。
【課題を解決するための手段】
【０００６】
請求項１に記載の発明は、記録材に画像を形成する画像形成手段と、装置に関する情報を表示画面として表示する表示手段と、ユーザの入力により前記表示画面を予め定められた初期画面に遷移させる遷移情報を出力する初期画面遷移手段と、装置の動作を制御する制御手段と、を備え、前記制御手段は、前記初期画面遷移手段から前記遷移情報を取得する遷移情報取得部と、装置の状態変化を取得する状態取得部と、前記遷移情報を取得したときに、装置の状態変化に応じ前記表示手段に初期画面を表示させる動作から他の動作に変更する動作制御部と、を備えることを特徴とする画像形成装置である。
請求項２に記載の発明は、前記初期画面遷移手段は、装置の状態変化に応じユーザに対し通知を行うことを特徴とする請求項１に記載の画像形成装置である。
請求項３に記載の発明は、前記動作制御部は、前記画像形成手段が画像を形成しているときに前記遷移情報を取得したときは、他の動作として画像の形成を中止することを特徴とする請求項１または２に記載の画像形成装置である。
請求項４に記載の発明は、前記動作制御部は、前記遷移情報を取得したときに、他の動作として前記表示手段にユーザの指示を受け付ける表示画面を表示させることを特徴とする請求項１または２に記載の画像形成装置である。
請求項５に記載の発明は、前記動作制御部は、ユーザによる前記初期画面遷移手段の操作の違いにより動作を変更することを特徴とする請求項１または２に記載の画像形成装置である。
請求項６に記載の発明は、前記動作制御部は、前記画像形成手段が画像を形成しているときには、前記表示手段の表示画面の変化に拘わらず前記遷移情報を取得したときの動作を維持することを特徴とする請求項１または２に記載の画像形成装置である。
請求項７に記載の発明は、前記動作制御部は、他の動作を行った後、前記表示手段に初期画面を表示させることを特徴とする請求項１乃至６の何れか１項に記載の画像形成装置である。
請求項８に記載の発明は、前記動作制御部は、ユーザの認証がなされているか否かで、他の動作を変更することを特徴とする請求項１または２に記載の画像形成装置である。
請求項９に記載の発明は、前記動作制御部は、前記初期画面をユーザがカスタマイズできる状態のときは、ユーザによる前記初期画面遷移手段の操作の違いによりカスタマイズの結果を維持するか否かを決定することを特徴とする請求項１または２に記載の画像形成装置である。
請求項１０に記載の発明は、前記動作制御部は、ユーザによる前記初期画面遷移手段の操作の違いによりメンテナンス要員用の画面に遷移することを特徴とする請求項１または２に記載の画像形成装置である。
請求項１１に記載の発明は、前記動作制御部は、処理の実行中においてユーザの操作を待つ状態のときに、ユーザが前記初期画面遷移手段を操作することで、当該処理を中止することを特徴とする請求項１または２に記載の画像形成装置である。
請求項１２に記載の発明は、前記動作制御部は、装置の再起動が必要な状態のときに、ユーザが前記初期画面遷移手段を操作することで、再起動後に初期画面に遷移することを特徴とする請求項１または２に記載の画像形成装置である。
請求項１３に記載の発明は、前記動作制御部は、途中で中断させたくない処理を行なっているときに、ユーザによる前記初期画面遷移手段の操作を無効にすることを特徴とする請求項１または２に記載の画像形成装置である。
請求項１４に記載の発明は、前記動作制御部は、初期画面がスクロールした状態のときに、ユーザが前記初期画面遷移手段を操作したときは、スクロール前の状態に戻すことを特徴とする請求項１または２に記載の画像形成装置である。
請求項１５に記載の発明は、前記動作制御部は、ユーザが前記初期画面遷移手段を操作することで初期画面に遷移した後にさらに当該初期画面遷移手段を操作したときは、ユーザが行った設定をリセットすることを特徴とする請求項１または２に記載の画像形成装置である。
請求項１６に記載の発明は、予め定められた機器に関する情報を表示画面として表示する表示手段と、前記表示画面を予め定められた初期画面に遷移させる遷移情報を取得する遷移情報取得部と、前記機器の状態変化を取得する状態取得部と、前記遷移情報を取得したときに、前記機器の状態変化に応じ前記表示手段に初期画面を表示させる動作から他の動作に変更する動作制御部と、を備えることを特徴とする表示装置である。
請求項１７に記載の発明は、予め定められた機器に関する情報を表示画面として表示する表示手段における当該表示画面を予め定められた初期画面に遷移させる遷移情報を取得する遷移情報取得部と、前記機器の状態変化を取得する状態取得部と、前記遷移情報を取得したときに、前記機器の状態変化に応じ前記表示手段に初期画面を表示させる動作から他の動作に変更する動作制御部と、を備えることを特徴とする表示制御装置である。
請求項１８に記載の発明は、ユーザの入力により、画像形成装置に関する情報を表示画面として表示する表示手段における当該表示画面を予め定められた初期画面に遷移させる遷移情報を出力し、前記遷移情報は、前記画像形成装置の状態に応じ、前記表示手段に初期画面を表示させる動作に換わり、初期画面以外の他の画面に遷移する動作または当該画像形成装置の画像の形成を中止する動作に変更するために使用されることを特徴とする入力装置である。
請求項１９に記載の発明は、コンピュータに、予め定められた機器に関する情報を表示画面として表示する表示手段における当該表示画面を予め定められた初期画面に遷移させる遷移情報を取得する遷移情報取得機能と、前記機器の状態変化を取得する状態取得機能と、前記遷移情報を取得したときに、前記機器の状態変化に応じ前記表示手段に初期画面を表示させる動作から他の動作に変更する動作制御機能と、を実現させるプログラムである。
【発明の効果】
【０００７】
請求項１の発明によれば、ソフトウェアキーやハードウェアキー等の操作のボタンを少なくすることとユーザの利便性を図ることを両立させることができる画像形成装置が提供できる。
請求項２の発明によれば、初期画面遷移手段の機能が変化したことをユーザが知ることができる。
請求項３の発明によれば、画像形成手段が画像の形成をしているときに、ユーザが主に所望する操作として画像の形成を中止する操作を初期画面遷移手段により行うことができる。
請求項４の発明によれば、画像形成装置の状態変化に応じ、ユーザが所望する操作を選択することができる。
請求項５の発明によれば、画像形成装置の状態変化に応じ、ユーザが所望する操作を選択して入力することができる。
請求項６の発明によれば、表示手段の表示画面が変化してもユーザが主に所望する操作を、初期画面遷移手段により行うことができる。
請求項７の発明によれば、他の動作後にユーザが初期画面遷移手段から次に行う操作を容易に選択することができる。
請求項８の発明によれば、ユーザに認証が行われているか否かでログイン画面やログアウト画面を表示することができる。
請求項９の発明によれば、カスタマイズの結果を維持するか否かをより簡単に決定することができる。
請求項１０の発明によれば、メンテナンス要員用の画面により簡単に遷移することができる。
請求項１１の発明によれば、処理を中止するか否かをより簡単に決定することができる。
請求項１２の発明によれば、再起動を行なうか否かをより簡単に決定することができる。
請求項１３の発明によれば、処理を途中で中止することが不都合な際に、初期画面遷移手段の操作を無効とすることができる。
請求項１４の発明によれば、スクロール前のホーム画面により簡単に戻ることができる。
請求項１５の発明によれば、設定のリセットをより簡単に行なうことができる。
請求項１６の発明によれば、ソフトウェアキーやハードウェアキー等の操作のボタンを少なくすることとユーザの利便性を図ることを両立させることができる表示装置が提供できる。
請求項１７の発明によれば、ソフトウェアキーやハードウェアキー等の操作のボタンを少なくすることとユーザの利便性を図ることを両立させることができる表示制御装置が提供できる。
請求項１８の発明によれば、ソフトウェアキーやハードウェアキー等の操作のボタンを少なくすることとユーザの利便性を図ることを両立させることができる入力装置が提供できる。
請求項１９の発明によれば、ソフトウェアキーやハードウェアキー等の操作のボタンを少なくすることとユーザの利便性を図ることを両立させることができる機能をコンピュータにより実現することができる。
【図面の簡単な説明】
【０００８】
【図１】本実施の形態に係る画像形成装置の外観図である。
【図２】本実施の形態に係る画像形成装置の内部構造を示す図である。
【図３】制御装置の機能構成例を示したブロック図である。
【図４】第１の実施形態における画像形成装置の動作を示したフローチャートである。
【図５】（ａ）〜（ｈ）は、第１の実施形態におけるユーザインタフェースの状態を示した図である。
【図６】第２の実施形態における画像形成装置の動作を示したフローチャートである。
【図７】（ａ）〜（ｄ）は、第２の実施形態におけるユーザインタフェースの状態を示した図である。
【図８】第３の実施形態における画像形成装置の動作を示したフローチャートである。
【図９】（ａ）〜（ｃ）は、第３の実施形態におけるユーザインタフェースの状態を示した図である。
【図１０】第４の実施形態における画像形成装置の動作を示したフローチャートである。
【図１１】（ａ）〜（ｄ）は、第４の実施形態におけるユーザインタフェースの状態を示した図である。
【図１２】第５の実施形態における画像形成装置の動作を示したフローチャートである。
【図１３】（ａ）〜（ｄ）は、第５の実施形態におけるユーザインタフェースの状態を示した図である。
【図１４】第６の実施形態における画像形成装置の動作を示したフローチャートである。
【図１５】（ａ）〜（ｆ）は、第６の実施形態におけるユーザインタフェースの状態を示した図である。
【図１６】第７の実施形態における画像形成装置の動作を示したフローチャートである。
【図１７】（ａ）〜（ｅ）は、第７の実施形態におけるユーザインタフェースの状態を示した図である。
【図１８】第８の実施形態における画像形成装置の動作を示したフローチャートである。
【図１９】（ａ）〜（ｃ）は、第８の実施形態におけるユーザインタフェースの状態を示した図である。
【図２０】第９の実施形態における画像形成装置の動作を示したフローチャートである。
【図２１】（ａ）〜（ｂ）は、第９の実施形態におけるユーザインタフェースの状態を示した図である。
【図２２】第１０の実施形態における画像形成装置の動作を示したフローチャートである。
【図２３】（ａ）〜（ｄ）は、第１０の実施形態におけるユーザインタフェースの状態を示した図である。
【発明を実施するための形態】
【０００９】
＜画像形成装置の全体説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）に画像を形成する画像形成手段の一例としての画像記録装置２００と、を備えている。また、画像形成装置１は、ユーザからの操作入力の受付やユーザに対する各種情報の表示を行うユーザインタフェース（ＵＩ）３００と、画像形成装置１全体の動作を制御する制御手段の一例である制御装置９００とを備える。
【００１０】
画像読取装置１００は、画像形成装置１の上部に配置される。また画像記録装置２００は、画像読取装置１００の下側に配置され、制御装置９００を内蔵している。ユーザインタフェース３００は、画像形成装置１の上部の手前側、つまり画像読取装置１００の後述する画像読取部１１０の手前側に配置されている。
【００１１】
まずは、画像読取装置１００について説明する。
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。
【００１２】
画像読取部１１０は、プラテンガラス１１１と、光を原稿の被読取面（画像面）へ照射する光照射ユニット１１２と、光照射ユニット１１２から原稿の被読取面へ光Ｌが照射されて原稿の被読取面で反射した光Ｌを導く導光ユニット１１３と、導光ユニット１１３によって導かれた光Ｌの光学像を結像する結像レンズ１１４と、を備えている。また、画像読取部１１０は、結像レンズ１１４によって結像された光Ｌを光電変換するＣＣＤ（Charge Coupled Device）イメージセンサ等の光電変換素子で構成され、結像された光学像を検出する検出部１１５と、検出部１１５と電気的に接続されて、検出部１１５によって得られた電気信号が送られる画像処理部１１６と、を備えている。
画像読取部１１０は、原稿搬送部１２０によって搬送される原稿の画像、及びプラテンガラス１１１に載せられた原稿の画像を読み取る。
【００１３】
次に、画像記録装置２００について説明する。
画像記録装置２００は、用紙Ｐ上に画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１４】
画像形成部２０は、一定の間隔を置いて並列的に配置されるイエロー(Ｙ）、マゼンタ(Ｍ）、シアン(Ｃ）、黒(Ｋ）の４つの画像形成ユニット２１（２１Ｙ、２１Ｍ、２１Ｃ、２１Ｋ）を備えている。各画像形成ユニット２１は、感光体ドラム２２と、感光体ドラム２２の表面を一様に帯電する帯電器２３と、後述する光学系ユニット５０によるレーザ照射によって形成された静電潜像を予め定められた色成分トナーで現像し可視化する現像器２４とを備えている。また、画像形成部２０には、画像形成ユニット２１Ｙ、２１Ｍ、２１Ｃ、２１Ｋの現像器２４に対して各色のトナーを供給するためのトナーカートリッジ２９Ｙ、２９Ｍ、２９Ｃ、２９Ｋが設けられている。
【００１５】
画像形成部２０は、画像形成ユニット２１Ｙ、２１Ｍ、２１Ｃ、２１Ｋの下方に、画像形成ユニット２１Ｙ、２１Ｍ、２１Ｃ、２１Ｋの感光体ドラム２２に対してレーザ光を照射する光学系ユニット５０を備えている。光学系ユニット５０は、図示しない半導体レーザ、変調器の他、半導体レーザから出射されたレーザ光を偏向走査するポリゴンミラー（不図示）と、レーザ光を通過するガラス製のウィンドウ（不図示）と、各構成部材を密閉するためのフレーム（不図示）とを備えている。
【００１６】
また、画像形成部２０は、画像形成ユニット２１Ｙ、２１Ｍ、２１Ｃ、２１Ｋの感光体ドラム２２に形成された各色のトナー像を中間転写ベルト３１上に多重転写させる中間転写ユニット３０と、中間転写ユニット３０上に重畳されて形成されたトナー像を用紙Ｐに転写する二次転写ユニット４０と、用紙Ｐ上に形成されたトナー像を加熱および加圧して定着する定着装置４５と、を備えている。
【００１７】
中間転写ユニット３０は、中間転写ベルト３１と、この中間転写ベルト３１を駆動するドライブローラ３２と、中間転写ベルト３１に一定のテンションを付与するテンションローラ３３と、を備えている。また、中間転写ユニット３０は、各感光体ドラム２２と中間転写ベルト３１を挟んで対向して感光体ドラム２２上に形成されたトナー像を中間転写ベルト３１上に転写するための複数（本実施の形態においては４つ）の一次転写ローラ３４と、中間転写ベルト３１を介して後述する二次転写ローラ４１と対向するバックアップローラ３５とを備えている。
【００１８】
中間転写ベルト３１は、ドライブローラ３２、テンションローラ３３、複数の一次転写ローラ３４、バックアップローラ３５および従動ローラ３６などの複数の回転部材に張りかけられている。そして、中間転写ベルト３１は、駆動モータ（不図示）によって回転駆動されるドライブローラ３２により、矢印方向に予め定められた速度で循環駆動される。この中間転写ベルト３１は、例えば、ゴムまたは樹脂にて成形されたものが使用される。
また、中間転写ユニット３０は、中間転写ベルト３１上に存在する残留トナー等を除去するクリーニング装置３７を備えている。クリーニング装置３７は、トナー像の転写工程が終了した後の中間転写ベルト３１の表面から残留トナーや紙粉等を除去する。
【００１９】
二次転写ユニット４０は、二次転写位置に設けられ中間転写ベルト３１を介してバックアップローラ３５を押圧し、用紙Ｐ上に画像を二次転写する二次転写ローラ４１を備えている。二次転写ローラ４１と、中間転写ベルト３１を介して二次転写ローラ４１と対向するバックアップローラ３５とで、中間転写ベルト３１に転写されたトナー画像が用紙Ｐに転写される二次転写位置が構成される。
定着装置４５は、中間転写ユニット３０によって二次転写された用紙Ｐ上の画像（トナー像）を、加熱定着ローラ４６と加圧ローラ４７とにより、熱および圧力を用いて用紙Ｐに定着させる。
【００２０】
用紙供給部６０は、画像が記録される用紙Ｐを収容する用紙収容部６１と、用紙収容部６１の各々に収容された用紙Ｐを送り出す送出ロール６２と、送出ロール６２にて送り出された用紙Ｐが搬送される搬送路６３と、搬送路６３に沿って配置され送出ロール６２によって送り出された用紙Ｐを二次転写位置へ搬送する搬送ロール６４、６５、６６と、を備えている。
【００２１】
用紙排出部７０は、画像形成部２０の上方に設けられて、画像形成部２０にて画像が形成された用紙を積載する第１の積載トレイ７１と、この第１の積載トレイ７１と画像読取装置１００との間に設けられて、画像形成部２０にて画像が形成された用紙を積載する第２の積載トレイ７２と、を備えている。
用紙排出部７０は、定着装置４５よりも搬送方向下流側に設けられて、トナー画像が定着された用紙Ｐを搬送する搬送ロール７５と、この搬送ロール７５の搬送方向下流側に設けられて、用紙Ｐの搬送方向を切り替える切替ゲート７６と、を備えている。また、用紙排出部７０は、切替ゲート７６の搬送方向下流側に、切替ゲート７６によって切り替えられた搬送方向の一方側（図２における右側）に搬送される用紙Ｐを第１の積載トレイ７１に排出する第１の排出ロール７７を備えている。また、用紙排出部７０は、切替ゲート７６の搬送方向下流側に、切替ゲート７６によって切り替えられた搬送方向の他方側（図２における上側）に搬送される用紙Ｐを搬送する搬送ロール７８と、搬送ロール７８によって搬送される用紙Ｐを第２の積載トレイ７２に排出する第２の排出ロール７９と、を備えている。
【００２２】
反転搬送部８０は、定着装置４５の側方に、搬送ロール７８を第２の積載トレイ７２に用紙Ｐを排出する方向とは反対の方向に回転させることで反転された用紙Ｐが搬送される反転搬送路８１を備えている。この反転搬送路８１には、反転搬送路８１に沿って複数の搬送ロール８２が設けられている。これらの搬送ロール８２によって搬送された用紙Ｐは、搬送ロール８２によって、再度二次転写位置へ送り込まれる。
【００２３】
また、画像記録装置２００は、画像形成部２０、用紙供給部６０、用紙排出部７０、反転搬送部８０および制御装置９００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００２４】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００２５】
ユーザインタフェース３００は、画像形成装置１に関する情報を表示画面として表示する表示手段の一例であるタッチパネルを備える。ユーザインタフェース３００にタッチパネルを備えることで、画像形成装置１の画像形成条件などの各種情報はタッチパネルに表示される。さらにユーザは、タッチパネルに表示されたソフトウェアキーをタッチすることで、画像形成装置１の動作の選択や画像形成条件などの入力操作を行う。
またユーザインタフェース３００は、図示しないハードウェアキーを備える。このハードウェアキーとしては、例えば、画像形成装置１の動作を開始するためのスタートボタンや画像形成装置１の設定を初期状態に戻すリセットボタン等が該当する。またユーザインタフェース３００は、ハードウェアキーとしてホームボタンを備える。ユーザが、ホームボタンを押下すると、画像形成装置１の動作の選択を行う初期画面がタッチパネルに表示される。このホームボタンは、ユーザの入力により表示画面を予め定められた初期画面に遷移させる遷移情報を出力する初期画面遷移手段として機能する。この遷移情報は、タッチパネルに表示の変更等を行うための電気信号であり、例えば、ホームボタンが押下されていないときは、ＯＦＦの状態となっており、ユーザがホームボタンを押下したときは、ＯＮの電気信号を制御装置９００に対し出力する。
【００２６】
従来技術では、タッチパネル上の同じ位置に、ジョブ起動をトリガーにして異なる機能の部品の画像を表示する。これにより、タッチパネル上の面積を有効利用しながらジョブ中止の操作を簡単にする。しかしこの方法では、予め決められた画面上にしかソフトウェアキーを配置出来ないため、ユーザが実行したい操作があるとき、その操作を指示するソフトウェアキーを表示する画面に遷移する必要がある点で、操作性に課題がある。さらに、操作可能なボタンの表示を入れ替えるため、一方のボタンが表示されている時は、もう一方のボタンを操作することはできない。つまりお互いに排他な指示を与える機能ボタンを配置するように配慮が必要な点で汎用性に問題がある。
本実施の形態では、この問題の抑制を図るため、元々配置してあるボタンに対し、画像形成装置１の動作状態に応じ、別の機能を割り当て、ユーザの所望する操作を実現する。以下、この構成について詳しく説明する。
【００２７】
図３は、制御装置９００の機能構成例を示したブロック図である。なお図３では、制御装置９００が有する種々の機能のうち本実施の形態に関係するものを選択して図示している。
図示するように本実施の形態の制御装置９００は、ユーザ指示受付部９０１と、状態取得部９０２と、動作制御部９０３と、情報通信部９０４とを備える。
【００２８】
ユーザ指示受付部９０１は、ユーザインタフェース３００により入力されたユーザによる指示（ユーザ指示）を受け付ける。
具体的には、ユーザ指示受付部９０１は、ユーザがタッチパネルに表示されたソフトウェアキーをタッチすることで入力した画像形成条件などを受け付ける。またユーザ指示受付部９０１は、ユーザがハードウェアキーを押下した場合には、ハードウェアキーを押下したことを意味する制御情報を受け付ける。特にユーザがホームボタンを押下したときは、ユーザ指示受付部９０１は、制御情報として上述した遷移情報を受け付ける。よってユーザ指示受付部９０１は、ホームボタンから遷移情報を取得する遷移情報取得部として機能する。
【００２９】
状態取得部９０２は、画像形成装置１の状態変化を取得する。
具体的には、状態取得部９０２は、画像形成装置１の各部を監視し、例えば、画像記録装置２００の画像形成動作の開始や終了について検知する。またファクシミリを受信したときやトナーの残量が少なくなったときは、その旨を検知する。
【００３０】
動作制御部９０３は、画像読取装置１００、画像記録装置２００、ユーザインタフェース３００の動作の制御を行なう。動作制御部９０３は、ユーザインタフェース３００等から取得した情報を基に、画像読取装置１００、画像記録装置２００、ユーザインタフェース３００の動作を決定するとともにこれらの制御を行なう。
【００３１】
情報通信部９０４は、通信回線Ｎに接続され、通信回線Ｎとの間で信号の送受信を行う。通信回線Ｎは、例えば、ＬＡＮ(Local Area Network)、ＷＡＮ(Wide Area Network)、インターネット等のネットワークである。また通信回線Ｎは、公衆電話回線であってもよい。情報通信部９０４は、通信回線Ｎに接続するＰＣ（Personal Computer）等から送信される印刷のジョブを受信したり、画像読取装置１００で読み取った原稿の画像のデータを外部機器に送信するなどの用途に使用される。
【００３２】
＜画像形成装置の動作説明＞
次に画像形成装置１の動作説明を行う。ここでは、まず画像形成装置１の動作として第１の実施形態について説明を行う。
【００３３】
［第１の実施形態］
図４は、第１の実施形態における画像形成装置１の動作を示したフローチャートである。
また図５（ａ）〜（ｈ）は、第１の実施形態におけるユーザインタフェース３００の状態を示した図である。
【００３４】
まず動作制御部９０３が、情報通信部９０４を介して印刷のジョブを受信したか否かを判断する（ステップ１０１）。
【００３５】
そして印刷のジョブを受信していない場合（ステップ１０１でＮｏ）、動作制御部９０３は、ホームボタンを通常色（例えば、青色）で点灯させる（ステップ１０２）。これは図５（ａ）で示した状態であり、ユーザに対し、ホームボタンを押下したときに、通常の動作を行うことを通知するものである。
【００３６】
次に動作制御部９０３は、ユーザがホームボタンを押下したか否か判断する（ステップ１０３）。これは、ユーザ指示受付部９０１がホームボタンから遷移情報を取得したか否かで判断できる。
その結果、ユーザがホームボタンを押下していなかった場合（ステップ１０３でＮｏ）、ステップ１０１に戻る。
【００３７】
対してユーザがホームボタンを押下した場合（ステップ１０３でＹｅｓ）、動作制御部９０３は、ユーザインタフェース３００のタッチパネル３１０に初期画面を表示する（ステップ１０４）。これは例えば、図５（ｂ）で示した画面となる。この初期画面は、ホーム画面とも呼ばれ、画像形成装置１の動作をユーザが選択できる画面である。ここでは、Ｃｏｐｙ（コピー）、Ｆａｘ（ファクシミリ）、Ｓｃａｎ（スキャン）等の各動作をユーザが選択できるようになっている。
【００３８】
一方、印刷のジョブを受信した場合（ステップ１０１でＹｅｓ）、動作制御部９０３は、画像記録装置２００を動作させ、用紙に画像の形成を行う（ステップ１０５）。さらに動作制御部９０３は、ホームボタンを通常とは異なる色（例えば、赤色）で点滅させる（ステップ１０６）。これは図５（ｃ）で示した状態であり、ユーザに対し、ホームボタンを押下したときに、通常の動作である初期画面に遷移する動作ではなく、これ以外の他の動作を行うことを通知するものである。またこのとき図５（ｃ）で示すように、タッチパネル３１０に「ジョブ実行中」の表示を行なってもよい。
【００３９】
次に動作制御部９０３は、ユーザがホームボタンを押下したか否か判断する（ステップ１０７）。
その結果、ユーザがホームボタンを押下していなかった場合（ステップ１０７でＮｏ）、ステップ１０１に戻る。
【００４０】
対してユーザがホームボタンを押下した場合（ステップ１０７でＹｅｓ）、状態取得部９０２は、画像形成装置１の状態変化を取得する（ステップ１０８）。
そして動作制御部９０３は、状態取得部９０２が取得した状態変化に応じて、通常の動作以外の他の動作を実行する（ステップ１０９）。
【００４１】
他の動作としては、例えば、状態変化として印刷のジョブが実行中で他の状態変化がなかった場合、動作制御部９０３は、印刷のジョブの中止を行う（画像の形成を中止する）。つまりこの場合、ホームボタンは、印刷のジョブの中止を行う機能を有するキーとなる。そして動作制御部９０３は、図５（ｄ）で示すように、タッチパネル３１０に「実行中のジョブを中止しました」のメッセージを表示する。
【００４２】
また状態変化として、トナーの残量が少なくなっていた場合、動作制御部９０３は、図５（ｆ）で示すように、タッチパネル３１０に「トナーが少なくなっています」のメッセージを表示する。さらにトナーの残量を表示するとともに、トナーの配送手配等を行う画面等を表示する。なおこのとき図５（ｅ）で示すように、タッチパネル３１０に「トナー少量」の表示を予め行なってもよい。
【００４３】
さらに状態変化として、ファクシミリを受信した場合、動作制御部９０３は、図５（ｈ）で示すように、タッチパネル３１０に「Ｆａｘを受信しました」のメッセージを表示する。さらにプレビュー表示やプリントなどユーザに次の動作を選択させる画面を表示する。なおこのとき図５（ｇ）で示すように、タッチパネル３１０に「Ｆａｘ受信」の表示を予め行なってもよい。
【００４４】
なお動作制御部９０３が、状態取得部９０２が取得した状態変化に応じて、予め定められた動作を実行した後は、タッチパネル３１０にホーム画面を表示させる（ステップ１０４）。
【００４５】
［第２の実施形態］
図６は、第２の実施形態における画像形成装置１の動作を示したフローチャートである。
また図７（ａ）〜（ｄ）は、第２の実施形態におけるユーザインタフェース３００の状態を示した図である。
【００４６】
ステップ２０１〜ステップ２０８は、ステップ１０１〜ステップ１０８と同様であるため、説明を省略する。
ステップ２０８の後、動作制御部９０３は、画像形成装置１の状態変化に応じタッチパネル３１０にユーザの指示を受け付ける表示画面を表示させる（ステップ２０９）。この表示画面は、例えば、図７（ｂ）で示すようなポップアップ画面である。これは、図５（ｃ）と同様の図７（ａ）で示す画面から、ユーザがホームボタンを押下すると表示される。図７（ｂ）では、ユーザに次の動作としてジョブ中止かホーム画面に遷移するかの選択を行わせる画面が表示されている。
【００４７】
そしてユーザがポップアップ画面からジョブ中止を選択した場合（ステップ２１０でＹｅｓ）、動作制御部９０３は、印刷のジョブの中止を行う（ステップ２１１）。そして動作制御部９０３は、図７（ｃ）で示すように、タッチパネル３１０に「実行中のジョブを中止しました」のメッセージを表示する。
【００４８】
またユーザがホーム画面に遷移する場合を選択した場合（ステップ２１０でＮｏ）、およびステップ２１０の後は、動作制御部９０３は、図７（ｄ）で示すように、タッチパネル３１０にホーム画面を表示させる（ステップ２０４）。
【００４９】
［第３の実施形態］
図８は、第３の実施形態における画像形成装置１の動作を示したフローチャートである。
また図９（ａ）〜（ｃ）は、第３の実施形態におけるユーザインタフェース３００の状態を示した図である。
【００５０】
ステップ３０１〜ステップ３０８は、ステップ１０１〜ステップ１０８と同様であるため、説明を省略する。
第３の実施形態では、動作制御部９０３は、ユーザによるホームボタンの操作の違いにより動作を変更する。
ステップ３０８の後、動作制御部９０３は、図５（ｃ）と同様の図９（ａ）で示す画面から、ユーザがホームボタンを長押ししたか、ワンクリックしたかを判断する（ステップ３０９）。
そしてユーザがホームボタンを長押しした場合（ステップ３０９でＹｅｓ）、動作制御部９０３は、印刷のジョブの中止を行う（ステップ３１０）。そして動作制御部９０３は、図９（ｂ）で示すように、タッチパネル３１０に「実行中のジョブを中止しました」のメッセージを表示する。
【００５１】
またユーザがホームボタンをワンクリックした場合（ステップ３０９でＮｏ）、およびステップ３１０の後は、動作制御部９０３は、図９（ｃ）で示すように、タッチパネル３１０にホーム画面を表示させる（ステップ３０４）。
【００５２】
なおユーザによるホームボタンの操作は、区別できるものであれば、長押しやワンクリックに限られるものではない。例えば、ダブルクリックとワンクリック、ダブルクリックと長押し等の組み合わせでもよい。またタッチパネル３１０上でのジェスチャ操作により区別してもよく、音声認識を使用し、動作制御部９０３は、音声の違いを認識して動作の変更を行ってもよい。さらに顔認識を使用し、動作制御部９０３は、ユーザの表情を認識して動作の変更を行ってもよい。
【００５３】
［第４の実施形態］
図１０は、第４の実施形態における画像形成装置１の動作を示したフローチャートである。
また図１１（ａ）〜（ｄ）は、第４の実施形態におけるユーザインタフェース３００の状態を示した図である。
【００５４】
ステップ４０１〜ステップ４０６は、ステップ３０１〜ステップ３０６と同様であるため、説明を省略する。
第４の実施形態では、動作制御部９０３は、ステップ４０６の後に、別のサービス画面に遷移する（ステップ４０７）。このサービス画面は、特に限られるわけではないが、ここでは、図５（ｃ）と同様の図１１（ａ）の画面から、図１１（ｂ）のファクシミリを行うための画面に遷移する。
【００５５】
以後、ステップ４０８〜ステップ４１１は、ステップ３０７〜ステップ３１０と同様である。
第４の実施形態では、印刷のジョブの実行中は、タッチパネル３１０の表示画面の変化に拘わらず遷移情報を取得したときの動作を維持する。つまり表示画面が、図１１（ｂ）のファクシミリを行うための画面に遷移しても、ホームボタンを長押ししたときは、印刷のジョブの中止を行う。
【００５６】
［第５の実施形態］
図１２は、第５の実施形態における画像形成装置１の動作を示したフローチャートである。
また図１３（ａ）〜（ｄ）は、第５の実施形態におけるユーザインタフェース３００の状態を示した図である。
【００５７】
第５の実施形態では、動作制御部９０３は、画像形成装置１の状態変化として、ユーザがホームボタンを長押ししたか否かを判断する。そしてユーザがホームボタンを長押ししたときは、動作制御部９０３は、ユーザの認証がなされているか否かで、他の動作を変更する。
【００５８】
まず動作制御部９０３は、ユーザがホームボタンを押下したか否か判断する（ステップ５０１）。
その結果、ユーザがホームボタンを押下していなかった場合（ステップ５０１でＮｏ）、ステップ５０１に戻る。
【００５９】
対してユーザがホームボタンを押下した場合（ステップ５０１でＹｅｓ）、動作制御部９０３は、ユーザがホームボタンを長押ししたか、ワンクリックしたかを判断する（ステップ５０２）。
そしてユーザがホームボタンを長押しした場合（ステップ５０２でＹｅｓ）、動作制御部９０３は、このユーザの認証がなされているか否かを判断する（ステップ５０３）。
【００６０】
その結果、図１３（ａ）のように、ユーザの認証がなされていなかった場合（ステップ５０３でＮｏ）、動作制御部９０３は、図１３（ｂ）に示すように、タッチパネル３１０にログイン画面を表示する（ステップ５０４）。
【００６１】
対して、図１３（ｃ）のように、ユーザの認証がなされていた場合（ステップ５０３でＹｅｓ）、動作制御部９０３は、図１３（ｄ）に示すように、タッチパネル３１０にログアウト画面を表示する（ステップ５０５）。なお図１３（ｄ）では、「富士太郎」によりユーザの認証がされている場合を示している。
【００６２】
またユーザがホームボタンをワンクリックした場合（ステップ５０２でＮｏ）、ステップ５０４でログインした後、およびステップ５０５でログアウトした後は、動作制御部９０３は、タッチパネル３１０にホーム画面を表示させる（ステップ５０６）。
【００６３】
［第６の実施形態］
図１４は、第６の実施形態における画像形成装置１の動作を示したフローチャートである。
また図１５（ａ）〜（ｆ）は、第６の実施形態におけるユーザインタフェース３００の状態を示した図である。
【００６４】
第６の実施形態では、動作制御部９０３は、画像形成装置１の状態変化として、ユーザがホームボタンを長押ししたか否かを判断する。そしてユーザがホームボタンを長押ししたときは、動作制御部９０３は、メンテナンス要員用の画面に遷移する。
また動作制御部９０３は、画像形成装置１の状態変化として、ホーム画面をユーザがカスタマイズできる状態のときであるか否かを判断する。そしてこの状態のときに、動作制御部９０３は、ユーザによるホームボタンの操作の違いによりカスタマイズの結果を維持するか否かを決定する。なおこの状態は、カスタマイズモードとも呼ばれ、例えば、タッチパネル３１０に表示されるアイコンの並び換えを行なうことができる。
【００６５】
まず動作制御部９０３は、ホーム画面をユーザがカスタマイズできる状態のとき（カスタマイズモード）であり、ユーザがカスタマイズを行なったか否かを判断する（ステップ６０１）。
その結果、図１５（ａ）に示すように、ユーザがカスタマイズを行なっていない場合（ステップ６０１でＮｏ）、動作制御部９０３は、ユーザがホームボタンを押下したか否か判断する（ステップ６０２）。
その結果、ユーザがホームボタンを押下していなかった場合（ステップ６０２でＮｏ）、ステップ６０１に戻る。
【００６６】
対してユーザがホームボタンを押下した場合（ステップ６０２でＹｅｓ）、動作制御部９０３は、ユーザがホームボタンを長押ししたか、ワンクリックしたかを判断する（ステップ６０３）。
そしてユーザがホームボタンを長押しした場合（ステップ６０３でＹｅｓ）、図１５（ｂ）に示すように、動作制御部９０３は、タッチパネル３１０の画面をメンテナンス要員（ＣＥ）用のログイン画面に遷移する（ステップ６０４）。
対してユーザがホームボタンをワンクリックした場合（ステップ６０３でＮｏ）、動作制御部９０３は、図１５（ｃ）に示すように、タッチパネル３１０にホーム画面を表示させる（ステップ６０５）。
【００６７】
また図１５（ｄ）に示すように、ユーザがカスタマイズを行なっていた場合（ステップ６０１でＹｅｓ）、動作制御部９０３は、ユーザがホームボタンを押下したか否か判断する（ステップ６０６）。
その結果、ユーザがホームボタンを押下していなかった場合（ステップ６０６でＮｏ）、ステップ６０６に戻る。
【００６８】
対してユーザがホームボタンを押下した場合（ステップ６０６でＹｅｓ）、動作制御部９０３は、ユーザがホームボタンを長押ししたか、ワンクリックしたかを判断する（ステップ６０７）。
そしてユーザがホームボタンを長押しした場合（ステップ６０７でＹｅｓ）、動作制御部９０３は、図１５（ｅ）に示すように、カスタマイズをリセットしてもよいか否かを入力するポップアップ画面を表示する（ステップ６０８）。
【００６９】
そしてユーザがこのポップアップ画面から「中止する」を選択した場合（ステップ６０９でＹｅｓ）、動作制御部９０３は、カスタマイズの処理の中止を行なう（ステップ６１０）。そしてタッチパネル３１０の画面をメンテナンス要員（ＣＥ）用のログイン画面に遷移する（ステップ６０４）。
対してユーザが「キャンセル」を選択した場合（ステップ６０９でＮｏ）、図１５（ｄ）で示す画面に戻る（ステップ６０６）。
【００７０】
またステップ６０７でユーザがホームボタンをワンクリックした場合（ステップ６０７でＮｏ）、動作制御部９０３は、図１５（ｆ）に示すように、カスタマイズをリセットしてもよいか否かを入力するポップアップ画面を表示する（ステップ６１１）。
【００７１】
そしてユーザがこのポップアップ画面から「中止してホームに戻る」を選択した場合（ステップ６１２でＹｅｓ）、動作制御部９０３は、カスタマイズの処理の中止を行なう（ステップ６１３）。そして動作制御部９０３は、図１５（ｃ）で示すように、ホーム画面を表示する（ステップ６０５）。
【００７２】
対してユーザがこのポップアップ画面から「キャンセル」を選択した場合（ステップ６１０でＮｏ）、動作制御部９０３は、図１５（ｄ）で示す画面に戻る（ステップ６０６）。
【００７３】
［第７の実施形態］
図１６は、第７の実施形態における画像形成装置１の動作を示したフローチャートである。
また図１７（ａ）〜（ｅ）は、第７の実施形態におけるユーザインタフェース３００の状態を示した図である。
【００７４】
第７の実施形態では、動作制御部９０３は、画像形成装置１の状態変化として、処理の実行中においてユーザの操作を待つ状態のときであるか否かを判断する。そしてこの状態のときに、動作制御部９０３は、ユーザがホームボタンを操作することで、この処理を中止する。本実施の形態では、この処理としてＩＤカードコピーを例に取り、説明を行う。ＩＤカードコピーは、例えば、免許証の表面と裏面をスキャンして、１枚の用紙に集約コピーをする機能である。そして免許証の表面のスキャンをした後に、免許証の裏面のスキャンを行うためにユーザの操作を待つ状態のとき、ユーザがホームボタンを操作することで、この処理を中止する。
【００７５】
ＩＤカードコピーでは、動作制御部９０３は、まず図１７（ａ）に示すような「表面のスキャンをしてください」の画面を表示する（ステップ７０１）。
【００７６】
そしてユーザは、画像読取装置１００に免許証の表面をスキャンできるようにセットし、スタートボタンを押下すると、動作制御部９０３は、免許証の表面をスキャンする（ステップ７０２）。
【００７７】
次に動作制御部９０３は、図１７（ｂ）に示すような、「裏面のスキャンをしてください」の画面を表示する（ステップ７０３）。
【００７８】
このとき動作制御部９０３は、ユーザがスタートボタンを押下したか否か判断する（ステップ７０４）。
そしてユーザが、画像読取装置１００に免許証の裏面をスキャンできるようにセットし、スタートボタンを押下した場合（ステップ７０４でＹｅｓ）、動作制御部９０３は、免許証の裏面をスキャンする（ステップ７０５）。そして図１７（ｃ）に示すように、１枚の用紙に免許証の表面と裏面が印刷される（ステップ７０６）。
【００７９】
対してユーザがスタートボタンを押下しなかった場合（ステップ７０４でＮｏ）、動作制御部９０３は、ユーザがホームボタンを押下したか否か判断する（ステップ７０７）。
その結果、ユーザがホームボタンを押下していなかった場合（ステップ７０７でＮｏ）、ステップ７０４に戻る。
【００８０】
対してユーザがホームボタンを押下した場合（ステップ７０７でＹｅｓ）、動作制御部９０３は、図１７（ｄ）で示すように、ＩＤカードコピーの処理をリセットしてもよいか否かを入力するポップアップ画面を表示する（ステップ７０８）。
【００８１】
そしてユーザがこのポップアップ画面から「はい」を選択した場合（ステップ７０９でＹｅｓ）、動作制御部９０３は、ＩＤカードコピーの処理の中止を行う（ステップ７１０）。そして動作制御部９０３は、図１７（ｅ）で示すように、ホーム画面を表示する（ステップ７１１）。
【００８２】
対してユーザがこのポップアップ画面から「いいえ」を選択した場合（ステップ７０９でＮｏ）、図１７（ｂ）の画面に戻る（ステップ７０４）。
【００８３】
なお図１７（ｅ）の画面から再度ＩＤカードコピーを選択した場合は、図１７（ａ）に示す「表面のスキャンをしてください」の画面を表示する箇所から再度開始される。
【００８４】
［第８の実施形態］
図１８は、第８の実施形態における画像形成装置１の動作を示したフローチャートである。
また図１９（ａ）〜（ｃ）は、第８の実施形態におけるユーザインタフェース３００の状態を示した図である。
【００８５】
第８の実施形態では、動作制御部９０３は、画像形成装置１の状態変化として、画像形成装置１の再起動が必要な状態であるか否かを判断する。そしてこの状態のときに、動作制御部９０３は、ユーザがホームボタンを操作することで、再起動後にホーム画面に遷移する。画像形成装置１の再起動が必要な状態は、画像形成装置１の設定項目が変更された場合であり、例えば、フォルト履歴のリセットを行うとき、トナー濃度の設定が変更になったとき、あるいはキャリブレーションを行う必要が生じたときである。なおフォルト履歴とは、例えば、画像形成装置１のカバーが開いている場合等にその旨を意味するアラートが出力されることがあるが、そのアラートの履歴である。
【００８６】
まず動作制御部９０３は、画像形成装置１の状態が、再起動が必要な状態であるか否かを判断する（ステップ８０１）。
その結果、画像形成装置１の再起動が必要な状態ではない場合（ステップ８０１でＮｏ）、ステップ８０１に戻る。
【００８７】
対して図１９（ａ）で示すように、画像形成装置１の再起動が必要な状態であった場合（ステップ８０１でＹｅｓ）、動作制御部９０３は、ユーザがホームボタンを押下したか否か判断する（ステップ８０２）。
【００８８】
その結果、ユーザがホームボタンを押下していなかった場合（ステップ８０２でＮｏ）、ステップ８０２に戻る。
【００８９】
対してユーザがホームボタンを押下した場合（ステップ８０２でＹｅｓ）、動作制御部９０３は、動作制御部９０３は、図１９（ｂ）で示すように、「再起動後、ホーム画面に戻ります。よろしいですか？」のポップアップ画面を表示する（ステップ８０３）。
【００９０】
そしてユーザがこのポップアップ画面から「はい」を選択した場合（ステップ８０４でＹｅｓ）、動作制御部９０３は、画像形成装置１の再起動を行ない、ホーム画面を表示する（ステップ８０５）。
【００９１】
対してユーザがこのポップアップ画面から「いいえ」を選択した場合（ステップ８０４でＮｏ）、図１９（ａ）の画面に戻る（ステップ８０２）。
【００９２】
［第９の実施形態］
図２０は、第９の実施形態における画像形成装置１の動作を示したフローチャートである。
また図２１（ａ）〜（ｂ）は、第９の実施形態におけるユーザインタフェース３００の状態を示した図である。
【００９３】
第９の実施形態では、動作制御部９０３は、一連の処理（途中で中断させたくない処理）を行なっているときであるか否かを判断する。そしてこの状態のときに、ホームボタンが押下されたときでも、ユーザによるこのホームボタンの操作を無効にする。途中で中断させたくない処理としては、処理をウィザード（Ｗｉｚａｒｄ）形式で行なっているときが挙げられる。
【００９４】
まず動作制御部９０３は、画像形成装置１の状態が、処理をウィザード形式で行なっているときであるか否かを判断する（ステップ９０１）。
その結果、処理をウィザード形式で行なっていない場合（ステップ９０１でＮｏ）、ステップ９０１に戻る。
【００９５】
対して図２１（ａ）で示すように、処理をウィザード形式で行なっている場合（ステップ９０１でＹｅｓ）、動作制御部９０３は、ホームボタンの操作を無効にする（ステップ９０２）。
【００９６】
そして動作制御部９０３は、ユーザがホームボタンを押下したか否か判断する（ステップ９０３）。
【００９７】
その結果、ユーザがホームボタンを押下していなかった場合（ステップ９０３でＮｏ）、ステップ９０３に戻る。
【００９８】
対してユーザがホームボタンを押下した場合（ステップ９０３でＹｅｓ）、動作制御部９０３は、図２１（ｂ）で示すように、「！お知らせ！  Ｗｉｚａｒｄ終了まで、ホーム画面に戻れません」のポップアップ画面を表示する（ステップ９０４）。
【００９９】
［第１０の実施形態］
図２２は、第１０の実施形態における画像形成装置１の動作を示したフローチャートである。
また図２３（ａ）〜（ｄ）は、第１０の実施形態におけるユーザインタフェース３００の状態を示した図である。
【０１００】
第１０の実施形態では、動作制御部９０３は、画像形成装置１の状態変化として、ホーム画面がスクロールした状態であるか否かを判断する。そしてこの状態のときに、動作制御部９０３は、ユーザがホームボタンを操作したときは、スクロール前の状態に戻す。
また動作制御部９０３は、画像形成装置１の状態変化として、ユーザがホームボタンを操作することでホーム画面に遷移した後にさらにホームボタンを操作したか否かを判断する。そしてこの状態のとき、動作制御部９０３は、ユーザが行った設定をリセットする。
この場合、ユーザが行った設定とは、画像形成装置１の動作に対する設定である。例えば、画像形成装置１でコピーを行なう際の設定は、コピーを行う枚数、使用する用紙の選択、白黒／カラーの選択、拡大／縮小等である。
【０１０１】
まず動作制御部９０３は、ホーム画面がスクロールした状態であるか否かを判断する（ステップ１００１）。
その結果、ホーム画面がスクロールした状態ではない場合（ステップ１００１でＮｏ）、ステップ１００１に戻る。
【０１０２】
対して図２３（ａ）で示すように、ホーム画面がスクロールした状態である場合（ステップ１００１でＹｅｓ）、動作制御部９０３は、ユーザがホームボタンを押下したか否か判断する（ステップ１００２）。
【０１０３】
その結果、ユーザがホームボタンを押下していなかった場合（ステップ１００２でＮｏ）、ステップ１００２に戻る。
【０１０４】
対してユーザがホームボタンを押下した場合（ステップ１００２でＹｅｓ）、動作制御部９０３は、図２３（ｂ）で示すように、スクロール前の状態に戻す（ステップ１００３）。
【０１０５】
そして動作制御部９０３は、ユーザがホームボタンをさらに押下したか否か判断する（ステップ１００４）。
【０１０６】
その結果、ユーザがホームボタンを押下していなかった場合（ステップ１００４でＮｏ）、ステップ１００４に戻る。
【０１０７】
対してユーザがホームボタンを押下した場合（ステップ１００４でＹｅｓ）、動作制御部９０３は、図２３（ｃ）で示すように、「設定をリセットしますか？」のポップアップ画面を表示する（ステップ１００５）。
【０１０８】
そしてユーザがこのポップアップ画面から「はい」を選択した場合（ステップ１００６でＹｅｓ）、動作制御部９０３は、設定をリセットする（ステップ１００７）。
【０１０９】
対してユーザがこのポップアップ画面から「いいえ」を選択した場合（ステップ１００６でＮｏ）、図２３（ｂ）の画面に戻る（ステップ１００４）。
【０１１０】
ホームボタンは、上述した例では、ハードウェアキーであったが、ソフトウェアキーであってもよい。そしてホームボタンは、ソフトウェアキーの場合でも、タッチパネル３１０に表示され、通常の状態では、表示されなくなることは生じにくい。そのためユーザは、通常は、どのような画面が表示されているときでもホームボタンを操作できる。本実施の形態では、このようなホームボタンの機能を、画像形成装置１の動作状態に応じて変化させる。例えば、画像形成装置１が画像を形成しているときには、ホームボタンの機能を、初期画面に遷移する機能から他の動作として画像の形成の中止を行う機能に変化させる。つまり画像形成装置１の動作状態に応じてユーザの所望する操作を、ホームボタンに付与する。その結果、ユーザは、画像形成装置１の動作状態に応じ所望する操作を、ホームボタンを押下することで実現できる。
その結果、ホームボタンがハードウェアキーの場合、ボタンを少なくすることができる。またホームボタンがソフトウェアキーである場合、通常の状態では表示されるものであるため、表示面積が余分に必要な他のボタンを表示する必要もない。よって表示画面に表示する操作のボタンを少なくすることができる。さらに排他的な指示を与えるものである必要もない。
【０１１１】
この場合、ユーザは、ホームボタンを所謂ショートカットキーとして使用することができ、ユーザの操作性がより向上する。つまりソフトウェアキーやハードウェアキー等の操作のボタンを少なくすることとユーザの利便性を図ることを両立させることができる。また第２の実施形態のようにポップアップ画面を表示したり、第３の実施形態のようにホームボタンの操作の違いにより動作を変更することもでき、ユーザの操作性がさらに向上する。また第４の実施形態のように、表示画面が別のサービス画面に移行しても、画像形成装置１が画像を形成しているときは、ホームボタンの機能を維持し、画像の形成の中止を行う機能を維持することで、ユーザの操作性が低下しにくくなる。
【０１１２】
以上詳述した例では、初期画面遷移手段として、ホームボタンを例に採り説明したが、通常の状態で表示等され操作できるものであれば、これに限られるものではない。例えば、メニューボタン等であってもよい。
また上述した例では、他の動作としてホームボタンに画像の形成を中止する機能を付与する場合について説明を行ったが、これに限られるものではない。画像の形成を中止する動作以外の動作を行う機能を与えてもよい。またユーザが予め設定できるようにしてもよい。例えば、受信したファクシミリのプリントの機能や転送の機能、トナー残量の表示の機能などから選択するようにしてもよい。あるいは、予め定められた優先度により、動作制御部９０３が他の動作を決定してもよい。さらにこの優先度をユーザが設定できるようにしてもよい。
【０１１３】
また上述したタッチパネル３１０および制御装置９００の機能を有する装置は、表示装置として捉えることもできる。この場合、画像形成装置に適用する場合に限られるものではなく、初期画面に戻るボタンと装置の状態変化がある装置であれば適用が可能である。このような装置としては、例えば、タブレット端末やスマートフォン等の機器が該当する。例えば、スマートフォンでは、ホームボタンに対して複数の機能を与えることが考えられる。具体的には、ホームボタンに初期画面を表示する機能をまず付与し、通話中は、他の動作としてホームボタンに対し、通話を切る機能や録音を開始する機能を付与するなどが考えられる。またこの場合もこのボタンはホームボタンに限られるものではなく、電源キーなどであってもよい。
【０１１４】
さらに上述した制御装置９００の機能を有する装置は、表示手段で表示する表示画面を制御する表示制御装置として捉えることもできる。
またさらにホームボタンは、ユーザの入力により、画像形成装置１に関する情報を表示画面として表示する表示手段における表示画面を予め定められた初期画面に遷移させる遷移情報を出力し、遷移情報は、画像形成装置１の状態に応じ、表示手段に初期画面を表示させる動作に換わり、初期画面以外の他の画面に遷移する動作または画像形成装置１の画像の形成を中止する動作に変更するために使用されることを特徴とする入力装置として捉えることもできる。
【０１１５】
＜プログラムの説明＞
また本実施の形態における制御装置９００が行なう処理は、例えば、制御装置９００に設けられた制御用コンピュータ内部の図示しないＣＰＵが、ＨＤＤ等に記憶された各種プログラムをメインメモリにロードして実行することにより行なわれる。
【０１１６】
よって制御装置９００が行なう処理は、コンピュータに、予め定められた機器に関する情報を表示画面として表示する表示手段における表示画面を予め定められた初期画面に遷移させる遷移情報を取得する遷移情報取得機能と、機器の状態変化を取得する状態取得機能と、遷移情報を取得したときに、機器の状態変化に応じ表示手段に初期画面を表示させる動作から他の動作に変更する動作制御機能と、を実現させるプログラムとして捉えることもできる。
【０１１７】
なお、本実施の形態を実現するプログラムは、通信手段により提供することはもちろん、ＣＤ−ＲＯＭ等の記録媒体に格納して提供することも可能である。
【符号の説明】
【０１１８】
１…画像形成装置、１００…画像読取装置、２００…画像記録装置、３００…ユーザインタフェース（ＵＩ）、３１０…タッチパネル、９００…制御装置、９０１…ユーザ指示受付部、９０２…状態取得部、９０３…動作制御部、９０４…情報通信部
【図１】
2017055404.tif 000003
【図２】
2017055404.tif 000004
【図３】
2017055404.tif 000005
【図４】
2017055404.tif 000006
【図５】
2017055404.tif 000007
【図６】
2017055404.tif 000008
【図７】
2017055404.tif 000009
【図８】
2017055404.tif 000010
【図９】
2017055404.tif 000011
【図１０】
2017055404.tif 000012
【図１１】
2017055404.tif 000013
【図１２】
2017055404.tif 000014
【図１３】
2017055404.tif 000015
【図１４】
2017055404.tif 000016
【図１５】
2017055404.tif 000017
【図１６】
2017055404.tif 000018
【図１７】
2017055404.tif 000019
【図１８】
2017055404.tif 000020
【図１９】
2017055404.tif 000021
【図２０】
2017055404.tif 000022
【図２１】
2017055404.tif 000023
【図２２】
2017055404.tif 000024
【図２３】
2017055404.tif 000025